(57)【特許請求の範囲】
【請求項１】
従属ステーションが無線ローカルエリアネットワーク（ＷＬＡＮ）において可用チャンネル内で動作するための方法であって、
前記従属ステーションにより、要素ＩＤが登録位置クエリーに関連した特定のプロトコルを指示する情報要素を含む第１のフレームをイネーブリングステーションに伝送することであって、前記情報要素は、前記従属ステーションの地理的位置に関する情報を含む、ことと、
ホワイトスペースマップ（ＷＳＭ）の形態での前記従属ステーションの前記地理的位置に関する情報に基づいて、前記従属ステーションにより、前記イネーブリングステーションから、前記可用チャンネルに対する情報、及び前記クエリーの結果を含む第２のフレームを受信することと、
前記ＷＳＭを得た後に、前記従属ステーションにより、前記ＷＬＡＮにおいて信号の伝送を開始することと
を含む、方法。
【請求項２】
前記情報要素は、前記第１のフレームを伝送する前記従属ステーションの機器識別情報をさらに含む、請求項１に記載の方法。
【請求項３】
前記機器識別情報は、前記従属ステーションのＦＣＣ（Ｆｅｄｅｒａｌ  Ｃｏｍｍｕｎｉｃａｔｉｏｎｓ  Ｃｏｍｍｉｓｓｉｏｎ）識別子、及び前記従属ステーションの一連番号を含む、請求項２に記載の方法。
【請求項４】
前記クエリーの結果は、前記イネーブリングステーションにより登録位置サーバー（ＲＬＳ）から獲得される、請求項１に記載の方法。
【請求項５】
前記情報要素は、要素ＩＤがチャンネルクエリープロトコルを指示する登録位置クエリープロトコル（ＲＬＱＰ）要素である、請求項１に記載の方法。
【請求項６】
前記ＷＳＭは、各々が前記可用チャンネルのうちの一つを指示する少なくとも一つのチャンネル番号フィールドと、前記指示されたチャンネルのそれぞれに関する最大許容電力を指示する少なくとも一つの電力制限フィールドとを含む、請求項１に記載の方法。
【請求項７】
前記第１のフレームは、
前記情報要素の長さを指示する長さフィールドと、
前記従属ステーションのＭＡＣ（媒体アクセス制御）住所を指示する要請者ステーション住所フィールドと、
前記情報要素を前記ＲＬＳに伝達する前記イネーブリングステーションのＭＡＣ住所を指示する応答者ステーション住所フィールドと
をさらに含む、請求項４に記載の方法。
【請求項８】
前記第２のフレームは、
前記第２のフレームの長さを指示する長さフィールドと、
前記従属ステーションのＭＡＣ（媒体アクセス制御）住所を指示する要請者ステーション住所フィールドと、
前記情報要素を前記ＲＬＳに伝達する前記イネーブリングステーションのＭＡＣ住所を指示する応答者ステーション住所フィールドと、
前記可用チャンネルに関する情報を指示するＷＳＭフィールドと
をさらに含む、請求項４に記載の方法。
【請求項９】
前記第２のフレームは、要素ＩＤが登録位置クエリープロトコル（ＲＬＱＰ）に関連した特定のプロトコルを指示する広告プロトコル要素を含む、請求項１に記載の方法。
【請求項１０】
無線ローカルエリアネットワーク（ＷＬＡＮ）において可用チャンネル内で動作する従属ステーション装置であって、
要素ＩＤが登録位置クエリーに関連した特定のプロトコルを指示する情報要素を含む第１のフレームをイネーブリングステーションに伝送するために構成された送信機であって、前記情報要素は、前記従属ステーション装置の地理的位置に関する情報を含む、送信機と、
ホワイトスペースマップ（ＷＳＭ）の形態での前記従属ステーション装置の前記地理的位置に関する情報に基づいて、前記イネーブリングステーションから、前記可用チャンネルに対する情報、及び前記クエリーの結果を含む第２のフレームを受信するために構成された受信機と、
前記送信機及び前記受信機に動作的に連結され、かつ、前記ＷＳＭを得た後に前記ＷＬＡＮにおいて信号の伝送を開始するために構成されたプロセッサと
を含む、従属ステーション装置。
【請求項１１】
前記情報要素は、前記従属ステーション装置の機器識別情報をさらに含む、請求項１０に記載の従属ステーション装置。
【請求項１２】
前記機器識別情報は、前記従属ステーション装置のＦＣＣ（Ｆｅｄｅｒａｌ  Ｃｏｍｍｕｎｉｃａｔｉｏｎｓ  Ｃｏｍｍｉｓｓｉｏｎ）識別子、及び前記従属ステーション装置の一連番号を含む、請求項１１に記載の従属ステーション装置。
【請求項１３】
前記クエリーの結果は、前記イネーブリングステーションにより登録位置サーバー（ＲＬＳ）から獲得される、請求項１０に記載の従属ステーション装置。
【請求項１４】
前記情報要素は、要素ＩＤがチャンネルクエリープロトコルを指示する登録位置クエリープロトコル（ＲＬＱＰ）要素である、請求項１０に記載の従属ステーション装置。
【請求項１５】
前記ＷＳＭは、各々が前記可用チャンネルのうちの一つを指示する少なくとも一つのチャンネル番号フィールドと、前記指示されたチャンネルのそれぞれに関する最大許容電力を指示する電力制限フィールドとを含む、請求項１０に記載の従属ステーション装置。
【請求項１６】
前記第１のフレームは、
前記情報要素の長さを指示する長さフィールドと、
前記従属ステーション装置のＭＡＣ（媒体アクセス制御）住所を指示する要請者ステーション住所フィールドと、
前記情報要素を前記ＲＬＳに伝達する前記イネーブリングステーションのＭＡＣ住所を指示する応答者ステーション住所フィールドと
をさらに含む、請求項１３に記載の従属ステーション装置。
【請求項１７】
前記第２のフレームは、
前記第２のフレームの長さを指示する長さフィールドと、
前記従属ステーション装置のＭＡＣ（媒体アクセス制御）住所を指示する要請者ステーション住所フィールドと、
登録要請要素を前記ＲＬＳに伝達する前記イネーブリングステーションのＭＡＣ住所を指示する応答者ステーション住所と、
前記可用チャンネルに関する情報を指示するＷＳＭフィールドと
をさらに含む、請求項１３に記載の従属ステーション装置。
【請求項１８】
前記第２のフレームは、要素ＩＤが登録位置クエリープロトコル（ＲＬＱＰ）に関連した特定のプロトコルを指示する広告プロトコル要素を含む、請求項１０に記載の従属ステーション装置。
【発明の詳細な説明】
【技術分野】
【０００１】
本発明は、ＷＬＡＮ（Ｗｉｒｅｌｅｓｓ  Ｌｏｃａｌ  Ａｒｅａ  Ｎｅｔｗｏｒｋ）に関し、より詳細には、免許機器（ｌｉｃｅｎｓｅｄ  ｄｅｖｉｃｅ）によって使用されない可用チャンネル（ａｖａｉｌａｂｌｅ  ｃｈａｎｎｅｌ）内での動作が許容されるステーションが、ＷＬＡＮで伝送を開始するためのチャンネルを選択する方法及び装置に関する。
【背景技術】
【０００２】
ＷＬＡＮ（ｗｉｒｅｌｅｓｓ  ｌｏｃａｌ  ａｒｅａ  ｎｅｔｗｏｒｋ）技術に対する標準はＩＥＥＥ  ８０２．１１標準協会によって開発されている。ＩＥＥＥ  ８０２．１１標準のうちＩＥＥＥ  ８０２．１１ａ／ｂは、２．４．ＧＨｚ又は５ＧＨｚで免許不要の帯域（ｕｎｌｉｃｅｎｓｅｄ  ｂａｎｄ）を用いた１１Ｍｂｐｓ（ＩＥＥＥ  ８０２．１１ｂ）又は５４Ｍｂｐｓ（ＩＥＥＥ  ８０２．１１ａ）の伝送効率を提供する。ＩＥＥＥ  ８０２．１１ｇは、ＯＦＤＭ（Ｏｒｔｈｏｇｏｎａｌ  Ｆｒｅｑｕｅｎｃｙ  Ｄｉｖｉｓｉｏｎａｌ  Ｍｕｌｔｉｐｌｅｘｉｎｇ）技術を適用し、５４Ｍｂｐｓの伝送効率を提供する。そして、ＩＥＥＥ  ８０２．１１ｎは、ＭＩＭＯ−  ＯＦＤＭ技術を適用し、４個の空間ストリームに対して３００Ｍｂｐｓの伝送効率を提供する。ＩＥＥＥ  ８０２．１１ｎでは、４０ＭＨｚのチャンネル帯域幅をサポートし、この場合、６００Ｍｂｐｓまでの伝送効率を提供する。
【０００３】
現在、ＴＶホワイトスペースでのＷＬＡＮ動作を規制するための標準がＩＥＥＥ  ８０２．１１ａｆ標準として開発されている。
【０００４】
ＴＶホワイトスペースは、放送用ＴＶに割り当てられた各チャンネルを含み、これは、認知（ｃｏｇｎｉｔｉｖｅ）無線機器によって使用されることが許容される。ＴＶホワイトスペースは、ＵＨＦ帯域及びＶＨＦ帯域を含むことができる。免許機器によって使用されないスペクトル（以下では、「ホワイトスペース」と称する。）は免許不要の機器によって使用することができる。免許不要の機器によって使用されることが許容される周波数帯域は、各国で異なる形で定義することができる。一般に、このような周波数帯域は、５４−  ６９８ＭＨｚ（ＵＳ、大韓民国）を含むが、このような周波数帯域のうち一部は免許不要の機器によって使用することができない。ここで、「免許機器」は、前記周波数帯域で許容されるユーザーの機器を意味し、「プライマリユーザー」又は「既存（ｉｎｃｕｍｂｅｎｔ）ユーザー」と称することもできる。以下では、「既存ユーザー」という用語は、これら用語を通称するものとして使用される。
【０００５】
免許不要の機器は、既存ユーザーに対する保護技法を提供しなければならない。すなわち、無線マイクロホンなどの既存ユーザーが特定チャンネルを使用する場合、免許不要の機器は、前記特定チャンネルを使用することを中止しなければならない。このために、スペクトルセンシングメカニズムが要求される。スペクトルセンシングメカニズムは、エネルギー検出技法、フィーチャー（ｆｅａｔｕｒｅ）検出技法などを含む。このようなメカニズムを使用することによって、プライマリ信号の強度が所定のレベルを超える場合、又はＤＴＶ（Ｄｉｇｉｔａｌ  Ｔｅｌｅｖｉｓｉｏｎ）プリアンブルが検出される場合、免許不要の機器は、チャンネルが既存ユーザーによって使用されると決定することができる。そして、免許不要の機器によって使用されているチャンネルに隣接した近隣（ｎｅｉｇｈｂｏｒｉｎｇ）チャンネルが既存ユーザーによって使用されていると検出される場合、免許不要の機器（ステーション又はアクセスポイント）は自分の伝送電力を低下させるようになる。
【０００６】
また、免許不要の機器は、ＷＳ（Ｗｈｉｔｅｓｐａｃｅ）の特定チャンネルで連結されるネットワークを探索しなければならない。上述したように、免許不要の機器は、既存ユーザーによって使用されない可用チャンネル内のみで動作することが許容される。
【０００７】
このために、ホワイトスペース（ＷＳ）を使用しようとする免許不要の機器は、自分の位置で可用なチャンネルに対する情報を獲得しなければならない。しかし、個別的なセンシングメカニズムは、相当な時間を要し、且つ多量の電力を消耗するので、免許不要の機器が可用チャンネル情報をより効率的に獲得できるようにする必要がある。
【０００８】
免許不要の機器は、ＷＳで動作するためにイネーブリングステーション（ｅｎａｂｌｉｎｇ  ＳＴＡ）又はイネーブラーによってイネーブルされなければならない。そして、場合に応じて、非−  ＡＰ（ｎｏｎ−  Ａｃｃｅｓｓ  Ｐｏｉｎｔ）として動作するＳＴＡ（ステーション）がＡＰ  ＳＴＡとして動作しなければならない。したがって、このような動作のための適切なメカニズムが要求される。
【発明の概要】
【発明が解決しようとする課題】
【０００９】
本発明の一様態では、免許機器によって使用されない各可用チャンネル内での動作が許容されるステーションが、ＷＬＡＮ内で自分の伝送を開始するためにチャンネルを選択するメカニズムが提供される。このようなメカニズムに対して、本発明の一実施例では、ホワイトスペース内で動作するためのステーションの位置の登録と関連した特定プロトコルが提供される。
【００１０】
本発明の一実施例では、このようなプロトコルをＲＬＱＰ（Ｒｅｇｉｓｔｅｒｅｄ  Ｌｏｃａｔｉｏｎ  Ｑｕｅｒｙ  Ｐｒｏｔｏｃｏｌ）として提供し、ＲＬＱＰの要素ＩＤは、チャンネルクエリー（Ｃｈａｎｎｅｌ  Ｑｕｅｒｙ）プロトコルを指示する。また、前記メカニズムは、免許不要の機器がＷＳで効率的に動作できるようにするイネーブリングメカニズムと関連し得る。したがって、ＲＬＱＰを使用するイネーブリングメカニズムについては後で説明する。
【００１１】
ＷＬＡＮでＡＰステーションとして動作するために、前記ステーションは、既存ユーザーによって使用されない可用チャンネルに対する情報を獲得しなければならない。したがって、本発明の他の様態では、ＴＶ帯域データベースから可用チャンネル情報を効果的に獲得する方法が提供される。本様態に対するいくつかの例示は、規制データベース（ｒｅｇｕｌａｔｏｒｙ  ｄａｔａｂａｓｅ）にアクセスし得るステーションからホワイトスペースマップ（ＷＳＭ）として可用チャンネル情報を獲得することに関する。本様態に対するいくつかの例示は、ＧＡＳ（Ｇｅｎｅｒｉｃ  Ａｄｖｅｒｔｉｓｅｍｅｎｔ  Ｓｅｒｖｉｃｅ）プロトコルを使用してＷＳＭを効果的に獲得することに関する。
【００１２】
本発明で達成しようとする技術的課題は、以上で言及した技術的課題に制限されるものでなく、本発明の詳細な説明に記載されたり、詳細な説明から明らかな多様な技術的課題を含む。
【課題を解決するための手段】
【００１３】
本発明の一様態によると、免許機器によって使用されない可用チャンネル内での動作が許容されるステーションが、ＷＬＡＮ（Ｗｉｒｅｌｅｓｓ  Ｌｏｃａｌ  Ａｒｅａ  Ｎｅｔｗｏｒｋ）で信号の伝送を開始するためにチャンネルを選択する方法が提供され、前記方法は、登録位置クエリー（ｒｅｇｉｓｔｅｒｅｄ  ｌｏｃａｔｉｏｎ  ｑｕｅｒｙ）と関連した特定プロトコルを指示する要素ＩＤ（ｅｌｅｍｅｎｔ  ｉｄｅｎｔｉｆｉｅｒ）を有する情報要素を含む第１のフレームを伝送すること−  ここで、前記情報要素は、前記ステーションの地理的位置に対する情報を含む。−  ；前記ステーションの前記地理的位置に対する情報に基づいた前記可用チャンネルに対するＷＳＭ（Ｗｈｉｔｅ  Ｓｐａｃｅ  Ｍａｐ）の形態の情報、及び前記クエリーの結果を含む第２のフレームを受信すること；及び前記ＷＬＡＮで前記信号の伝送を開始するために前記の受信されたＷＳＭによって前記可用チャンネルからチャンネルを選択すること；を含むことができる。
【００１４】
本発明の他の様態によると、免許機器によって使用されない可用チャンネル内での動作が許容され、ＷＬＡＮ（Ｗｉｒｅｌｅｓｓ  Ｌｏｃａｌ  Ａｒｅａ  Ｎｅｔｗｏｒｋ）で信号の伝送を開始するためにチャンネルを選択するように構成されるステーション装置が提供され、前記ステーション装置は、登録位置クエリー（ｒｅｇｉｓｔｅｒｅｄ  ｌｏｃａｔｉｏｎ  ｑｕｅｒｙ）と関連した特定プロトコルを指示する要素ＩＤ（ｅｌｅｍｅｎｔ  ｉｄｅｎｔｉｆｉｅｒ）を有する情報要素を含む第１のフレームを伝送するように構成される送信機−  ここで、前記情報要素は、前記ステーションの地理的位置に対する情報を含む。−  と、前記ステーションの前記地理的位置に対する情報に基づいた前記可用チャンネルに対するＷＳＭ（Ｗｈｉｔｅ  Ｓｐａｃｅ  Ｍａｐ）の形態の情報、及び前記クエリーの結果を含む第２のフレームを受信する受信機と、前記送信機及び前記受信機に動作的に連結され、前記ＷＬＡＮで前記信号の伝送を開始するために前記の受信されたＷＳＭにしたがって前記可用チャンネルからチャンネルを選択するように構成されるプロセッサとを含むことができる。前記情報要素は、前記第１のフレームを伝送する前記ステーションの機器識別情報をさらに含むことができる。例えば、前記機器識別情報は、前記ステーションのＦＣＣ（Ｆｅｄｅｒａｌ  Ｃｏｍｍｕｎｉｃａｔｉｏｎｓ  Ｃｏｍｍｉｓｓｉｏｎ）識別子、及び前記ステーションの一連番号を含むことができる。
【００１５】
前記クエリーの結果は、登録位置サーバー（ＲＬＳ）から獲得することができる。
【００１６】
前記情報要素は、要素ＩＤがチャンネルクエリープロトコルを指示する登録位置クエリープロトコル（ＲＬＱＰ）要素であり得る。特に、ＳＴＡが自分の機器識別情報及び地理的位置情報を含むチャンネルクエリーを要請する場合、このようなプロセスは登録プロセスと称することができる。そして、前記ステーションは非−  ＡＰ（Ａｃｃｅｓｓ  Ｐｏｉｎｔ）ステーションを含むことができ、前記非−  ＡＰステーションは、前記第２のフレームを受信することによってＡＰステーションとして動作することができる。
【００１７】
前記ＷＳＭは一つ以上のホワイトスペースチャンネル単位を含み、前記ホワイトスペースチャンネル単位のそれぞれは、前記可用チャンネルの一つを指示するチャンネル番号フィールド、及び前記の指示されたチャンネルのそれぞれに対する最大許容電力を指示する電力制限フィールドを含むことができる。
【００１８】
前記第１のフレームは、前記情報要素の長さを指示する長さフィールドと、前記ステーションのＭＡＣ（Ｍｅｄｉｕｍ  Ａｃｃｅｓｓ  Ｃｏｎｔｒｏｌ）住所を指示する要請者ステーション住所フィールドと、前記情報要素を前記ＲＬＳに伝達する他のＡＰステーション又は前記ＲＬＳのＭＡＣ住所を指示する応答者ステーション住所フィールドとを含むことができる。
【００１９】
前記第２のフレームは、前記第２のフレームの長さを指示する長さフィールドと、前記ステーションのＭＡＣ（Ｍｅｄｉｕｍ  Ａｃｃｅｓｓ  Ｃｏｎｔｒｏｌ）住所を指示する要請者ステーション住所フィールドと、前記情報要素を前記ＲＬＳに伝達する他のＡＰステーション又は前記ＲＬＳのＭＡＣ住所を指示する応答者ステーション住所フィールドと、前記可用チャンネルに対する情報を指示するＷＳＭフィールドとを含むことができる。
【００２０】
前記第２のフレームは、登録位置クエリープロトコル（ＲＬＱＰ）と関連した特定プロトコルを指示する要素ＩＤを有する広告プロトコル要素を含むことができる。前記第２のフレームを受信する前記ステーションは、前記ＷＬＡＮで動作するためにイネーブルされ得る。
例えば、本発明は以下の項目を提供する。
（項目１）
免許機器によって使用されない可用チャンネル内での動作が許容されるステーションがＷＬＡＮ（Ｗｉｒｅｌｅｓｓ  Ｌｏｃａｌ  Ａｒｅａ  Ｎｅｔｗｏｒｋ）で信号の伝送を開始するためにチャンネルを選択する方法において、
登録位置クエリー（ｒｅｇｉｓｔｅｒｅｄ  ｌｏｃａｔｉｏｎ  ｑｕｅｒｙ）と関連した特定のプロトコルを指示する要素ＩＤ（ｅｌｅｍｅｎｔ  ｉｄｅｎｔｉｆｉｅｒ）を有する情報要素を含む第１のフレームを伝送すること−  前記情報要素は、前記ステーションの地理的位置に対する情報を含む−  ；
前記ステーションの前記地理的位置に対する情報に基づいた前記可用チャンネルに対するＷＳＭ（Ｗｈｉｔｅ  Ｓｐａｃｅ  Ｍａｐ）の形態の情報、及び前記クエリーの結果を含む第２のフレームを受信すること；及び
前記ＷＬＡＮで前記信号の伝送を開始するために前記の受信されたＷＳＭにしたがって前記可用チャンネルからチャンネルを選択すること；を含む、ステーションのチャンネル選択方法。
（項目２）
前記情報要素は、前記第１のフレームを伝送する前記ステーションの機器識別情報をさらに含む、項目１に記載のステーションのチャンネル選択方法。
（項目３）
前記機器識別情報は、前記ステーションのＦＣＣ（Ｆｅｄｅｒａｌ  Ｃｏｍｍｕｎｉｃａｔｉｏｎｓ  Ｃｏｍｍｉｓｓｉｏｎ）識別子、及び前記ステーションの一連番号を含む、項目２に記載のステーションのチャンネル選択方法。
（項目４）
前記クエリーの結果は、登録位置サーバー（ＲＬＳ）から獲得される、項目１に記載のステーションのチャンネル選択方法。
（項目５）
前記情報要素は、要素ＩＤがチャンネルクエリープロトコルを指示する登録位置クエリープロトコル（ＲＬＱＰ）要素である、項目１に記載のステーションのチャンネル選択方法。
（項目６）
前記ステーションは非−  ＡＰ（Ａｃｃｅｓｓ  Ｐｏｉｎｔ）ステーションを含み、
前記非−  ＡＰステーションは、前記第２のフレームを受信することによってＡＰステーションとして動作する、項目１に記載のステーションのチャンネル選択方法。
（項目７）
前記ＷＳＭは一つ以上のホワイトスペースチャンネル単位を含み、
前記ホワイトスペースチャンネル単位のそれぞれは、前記可用チャンネルの一つを指示するチャンネル番号フィールド、及び前記の指示されたチャンネルのそれぞれに対する最大許容電力を指示する電力制限フィールドを含む、項目１に記載のステーションのチャンネル選択方法。
（項目８）
前記第１のフレームは、
前記情報要素の長さを指示する長さフィールド；
前記ステーションのＭＡＣ（Ｍｅｄｉｕｍ  Ａｃｃｅｓｓ  Ｃｏｎｔｒｏｌ）住所を指示する要請者ステーション住所フィールド；及び
前記情報要素を前記ＲＬＳに伝達する他のＡＰステーション又は前記ＲＬＳのＭＡＣ住所を指示する応答者ステーション住所フィールドを含む、項目４に記載のステーションのチャンネル選択方法。
（項目９）
前記第２のフレームは、
前記第２のフレームの長さを指示する長さフィールド；
前記ステーションのＭＡＣ（Ｍｅｄｉｕｍ  Ａｃｃｅｓｓ  Ｃｏｎｔｒｏｌ）住所を指示する要請者ステーション住所フィールド；
前記情報要素を前記ＲＬＳに伝達する他のＡＰステーション又は前記ＲＬＳのＭＡＣ住所を指示する応答者ステーション住所フィールド；及び
前記可用チャンネルに対する情報を指示するＷＳＭフィールドを含む、項目４に記載のステーションのチャンネル選択方法。
（項目１０）
前記第２のフレームは、登録位置クエリープロトコル（ＲＬＱＰ）と関連した特定のプロトコルを指示する要素ＩＤを有する広告プロトコル要素を含む、項目１に記載のステーションのチャンネル選択方法。
（項目１１）
前記第２のフレームを受信する前記ステーションは、前記ＷＬＡＮで動作するためにイネーブルされる、項目１０に記載のステーションのチャンネル選択方法。
（項目１２）
免許機器によって使用されない可用チャンネル内での動作が許容され、ＷＬＡＮ（Ｗｉｒｅｌｅｓｓ  Ｌｏｃａｌ  Ａｒｅａ  Ｎｅｔｗｏｒｋ）で信号の伝送を開始するためにチャンネルを選択するように構成されるステーション装置であって、
登録位置クエリー（ｒｅｇｉｓｔｅｒｅｄ  ｌｏｃａｔｉｏｎ  ｑｕｅｒｙ）と関連した特定のプロトコルを指示する要素ＩＤ（ｅｌｅｍｅｎｔ  ｉｄｅｎｔｉｆｉｅｒ）を有する情報要素を含む第１のフレームを伝送するように構成される送信機−  前記情報要素は、前記ステーションの地理的位置に対する情報を含む−  と、
前記ステーションの前記地理的位置に対する情報に基づいた前記可用チャンネルに対するＷＳＭ（Ｗｈｉｔｅ  Ｓｐａｃｅ  Ｍａｐ）の形態の情報、及び前記クエリーの結果を含む第２のフレームを受信する受信機と、
前記送信機及び前記受信機に動作的に連結され、前記ＷＬＡＮで前記信号の伝送を開始するために前記の受信されたＷＳＭにしたがって前記可用チャンネルからチャンネルを選択するように構成されるプロセッサと、を含む、チャンネル選択ステーション装置。
（項目１３）
前記情報要素は、前記第１のフレームを伝送する前記ステーションの機器識別情報をさらに含む、項目１２に記載のチャンネル選択ステーション装置。
（項目１４）
前記機器識別情報は、前記ステーションのＦＣＣ（Ｆｅｄｅｒａｌ  Ｃｏｍｍｕｎｉｃａｔｉｏｎｓ  Ｃｏｍｍｉｓｓｉｏｎ）識別子、及び前記ステーションの一連番号を含む、項目１３に記載のチャンネル選択ステーション装置。
（項目１５）
前記クエリーの結果は、登録位置サーバー（ＲＬＳ）から獲得される、項目１２に記載のチャンネル選択ステーション装置。
（項目１６）
前記情報要素は、要素ＩＤがチャンネルクエリープロトコルを指示する登録位置クエリープロトコル（ＲＬＱＰ）要素である、項目１２に記載のチャンネル選択ステーション装置。
（項目１７）
前記ステーション装置は、前記第２のフレームを受信する前には非−  ＡＰ（Ａｃｃｅｓｓ  Ｐｏｉｎｔ）ステーションとして動作し、
前記ステーション装置は、前記第２のフレームを受信した後でＡＰステーションとして動作する、項目１２に記載のチャンネル選択ステーション装置。
（項目１８）
前記ＷＳＭは一つ以上のホワイトスペースチャンネル単位を含み、
前記ホワイトスペースチャンネル単位のそれぞれは、前記可用チャンネルの一つを指示するチャンネル番号フィールド、及び前記の指示されたチャンネルのそれぞれに対する最大許容電力を指示する電力制限フィールドを含む、項目１２に記載のチャンネル選択ステーション装置。
（項目１９）
前記第１のフレームは、
前記情報要素の長さを指示する長さフィールドと、
前記ステーション装置のＭＡＣ（Ｍｅｄｉｕｍ  Ａｃｃｅｓｓ  Ｃｏｎｔｒｏｌ）住所を指示する要請者ステーション住所フィールドと、
前記情報要素を前記ＲＬＳに伝達する他のＡＰステーション又は前記ＲＬＳのＭＡＣ住所を指示する応答者ステーション住所フィールドと、を含む、項目１５に記載のチャンネル選択ステーション装置。
（項目２０）
前記第２のフレームは、
前記第２のフレームの長さを指示する長さフィールドと、
前記ステーション装置のＭＡＣ（Ｍｅｄｉｕｍ  Ａｃｃｅｓｓ  Ｃｏｎｔｒｏｌ）住所を指示する要請者ステーション住所フィールドと、
前記情報要素を前記ＲＬＳに伝達する他のＡＰステーション又は前記ＲＬＳのＭＡＣ住所を指示する応答者ステーション住所フィールドと、
前記可用チャンネルに対する情報を指示するＷＳＭフィールドと、を含む、項目１５に記載のチャンネル選択ステーション装置。
（項目２１）
前記第２のフレームは、登録位置クエリープロトコル（ＲＬＱＰ）と関連した特定のプロトコルを指示する要素ＩＤを有する広告プロトコル要素を含む、項目１２に記載のチャンネル選択ステーション装置。
（項目２２）
前記第２のフレームを受信する前記ステーション装置は、前記ＷＬＡＮで動作するためにイネーブルされる、項目２１に記載のチャンネル選択ステーション装置。
【発明の効果】
【００２１】
本発明によると、ＷＬＡＮ内で動作するために免許不要の機器がチャンネルを選択するメカニズムを提供することができる。また、本発明によると、特定プロトコルを使用するイネーブリングメカニズムを提供することができる。また、本発明によると、データベースから可用チャンネル情報を獲得する方案を提供することができる。
【００２２】
本発明で得られる効果は、以上で言及した各効果に制限されることなく、言及していない他の効果は、下記の記載から本発明の属する技術分野で通常の知識を有する者に明確に理解されるだろう。
【図面の簡単な説明】
【００２３】
【図１】ＩＥＥＥ  ８０２．１１システムの例示的な構造を示す図である。
【図２】ＩＥＥＥ  ８０２．１１システムの構造図にＤＳ、ＤＳＭ及びＡＰ構成要素が追加されたＩＥＥＥ  ８０２．１１システムの他の例示的な構造を示す図である。
【図３】ＥＳＳ概念を説明するためのＩＥＥＥ  ８０２．１１システムの更に他の例示的な構造を示す図である。
【図４】ＷＬＡＮシステムに対する理解を促進するための例示的なシステム構造を示す図である。
【図５】イネーブリングメカニズムを説明するための概念図である。
【図６】例示的なＤＳＥイネーブルメントフレームフォーマットを示す図である。
【図７】広告プロトコル要素フォーマットを示す図である。
【図８】広告プロトコルタプルのフォーマットを示す図である。
【図９】クエリープロトコル要素フォーマットを示す図である。
【図１０】ＤＳＥイネーブルメントのためのクエリープロトコル要素のフォーマットを示す図である。
【図１１】ＷＳＭ要素ボディーを示す図である。
【図１２】ＴＶ帯域ＷＳＭの例示的な構造を示す図である。
【図１３】マップＩＤビットのフォーマットを示す図である。
【図１４】本発明の一例に係る登録過程を説明するための概念図である。
【図１５】ＲＬＱＰで定義される登録要請要素及び登録応答要素の例示的なフォーマットを示す図である。
【図１６】ＲＬＱＰで定義される登録要請要素及び登録応答要素の例示的なフォーマットを示す図である。
【図１７】本発明の例示的な各実施形態を具現する各無線装置の構造的なブロック図である。
【図１８】本発明の一例に係るＳＴＡ装置のプロセッサの例示的な構造を示す図である。
【発明を実施するための形態】
【００２４】
以下、本発明に係る好適な実施形態を添付の図面を参照して詳細に説明する。本明細書全体で同一又は相応する構成要素については、同一の図面符号を使用して説明する。
【００２５】
本発明について説明する前に、本発明で開示するほとんどの用語は、該当の技術分野で広く知られた一般的な用語に相応するが、必要に応じて、いくつかの用語は、出願人によって選択され、本発明の後述する説明で開示するように定義することができる。したがって、出願人によって定義される各用語は、本発明内での意味に基づいて理解することが望ましい。
【００２６】
以下の説明で使用される特定の用語は、本発明の理解を促進するために提供されたもので、このような特定の用語の使用は、本発明の技術的思想を逸脱しない範囲で他の形態に変更することができる。
【００２７】
説明の便宜を図り、且つ本発明に対する理解を促進するために、該当の技術分野で広く知られた一般的な構造及び装置は省略されたり、ブロック図又はフローチャートによって図示される。
【００２８】
まず、本発明の各実施形態が適用されるＷＬＡＮシステムについて説明する。
【００２９】
図１は、ＩＥＥＥ  ８０２．１１システムの例示的な構造を示す。
【００３０】
ＩＥＥＥ  ８０２．１１構造は複数の構成要素で構成することができ、これらの相互作用によって上位階層に対してトランスペアレント（ｔｒａｎｓｐａｒｅｎｔ）なＳＴＡ移動性をサポートするＷＬＡＮを提供することができる。基本サービスセット（Ｂａｓｉｃ  Ｓｅｒｖｉｃｅ  Ｓｅｔ；ＢＳＳ）は、ＩＥＥＥ  ８０２．１１  ＬＡＮでの基本的な構成ブロックに該当し得る。図１では、２個のＢＳＳが存在し、それぞれのＢＳＳのメンバーとして２個のＳＴＡが含まれることを例示的に示す。図１において、ＢＳＳを示す楕円は、該当のＢＳＳに含まれた各ＳＴＡが通信を維持するカバレッジ領域を示すものと理解することができる（正確でないとしても、領域の概念のみで十分であり得る）。この領域をＢＳＡ（Ｂａｓｉｃ  Ｓｅｒｖｉｃｅ  Ａｒｅａ）と称することができる。ＳＴＡがＢＳＡの外側に移動すると、該当のＢＳＡ内の他のＳＴＡと直接通信できなくなる。
【００３１】
ＩＥＥＥ  ８０２．１１  ＬＡＮで最も基本的なタイプのＢＳＳは、独立的なＢＳＳ（Ｉｎｄｅｐｅｎｄｅｎｔ  ＢＳＳ；ＩＢＳＳ）である。例えば、最小の形態のＩＥＥＥ  ８０２．１１  ＬＡＮは２個のＳＴＡのみで構成することができる。また、最も単純な形態であって（図２と異なり）、他の構成要素が省略されている図１のＢＳＳが２個のＩＢＳＳの代表的な例示に該当し得る。このような動作モードは、各ＳＴＡが直接通信できる場合に可能である。また、このような形態のＩＥＥＥ  ８０２．１１  ＬＡＮは、予め計画して構成するのではなく、ＬＡＮが必要な場合に構成することができ、このようなタイプの動作をアド−  ホック（ａｄ−  ｈｏｃ）ネットワークと称することもできる。
【００３２】
ＢＳＳでのＳＴＡのメンバーシップは動的に変更することができる（ＳＴＡのターンオンやターンオフ、領域に入ったり、領域から出る）。ＢＳＳのメンバーになるためには、ＳＴＡは同期化過程を用いてＢＳＳにジョイン（ｊｏｉｎ）することができる。基盤構造（ｉｎｆｒａｓｔｒｕｃｔｕｒｅ）ＢＳＳの全てのサービスにアクセスするためには、ＳＴＡは関連（ａｓｓｏｃｉａｔｅｄ）していなければならない。このような関連（ａｓｓｏｃｉａｔｉｏｎ）は動的に設定することができ、分配システムサービス（Ｄｉｓｔｒｉｂｕｔｉｏｎ  Ｓｙｓｔｅｍ  Ｓｅｒｖｉｃｅ；ＤＳＳ）の利用を含むことができる。
【００３３】
図２は、ＩＥＥＥ  ８０２．１１システムの構造図に分配システム（Ｄｉｓｔｒｉｂｕｔｉｏｎ  Ｓｙｓｔｅｍ；ＤＳ）、分配システム媒体（Ｄｉｓｔｒｉｂｕｔｉｏｎ  Ｓｙｓｔｅｍ  Ｍｅｄｉｕｍ；ＤＳＭ）、アクセスポイント（Ａｃｃｅｓｓ  Ｐｏｉｎｔ；ＡＰ）の各構成要素が追加されたＩＥＥＥ  ８０２．１１システムの他の例示的な構造を示す図である。
【００３４】
ＬＡＮでサポートされ得る直接的なステーション−  対−  ステーションの距離は、ＰＨＹ性能によって制限することができる。あるネットワークではこのような距離が十分であるが、他のネットワークでは増加したカバレッジが要求され得る。ＢＳＳは、独立的に存在する代わりに、複数のＢＳＳで構成されたネットワークの拡張された形態の構成要素として存在することもできる。ＢＳＳを相互連結するために使用される構造的な構成要素が分配システム（ＤＳ）である。
【００３５】
ＩＥＥＥ  ８０２．１１標準では、無線媒体（Ｗｉｒｅｌｅｓｓ  Ｍｅｄｉｕｍ；ＷＭ）と分配システム媒体（ＤＳＭ）を論理的に区分している。それぞれの論理的媒体は異なる目的のために使用され、異なる構成要素によって使用される。ＩＥＥＥ  ８０２．１１標準の定義では、このような各媒体を同一のものに制限しなく、異なるものにも制限しない。
【００３６】
このように複数の媒体が論理的に異なるという点で、構造の柔軟性を説明することができる。すなわち、ＩＥＥＥ  ８０２．１１ＬＡＮ構造は、それぞれの具現例の物理的な特性に独立的に特定することができる。
【００３７】
ＤＳは、複数のＢＳＳのシームレス（ｓｅａｍｌｅｓｓ）な統合を提供し、目的地アドレスマッピングを取り扱うのに必要な論理的サービスを提供することによって移動機器をサポートすることができる。
【００３８】
ＡＰは、関連した各ＳＴＡに対してＷＭを通してＤＳへのアクセスを可能にし、ＳＴＡ機能性を有する個体を意味する。
【００３９】
ＡＰを通してＢＳＳとＤＳとの間のデータ移動を行うことができる。また、全てのＡＰはＳＴＡに該当するので、全てのＡＰはアドレス可能な個体である。ＷＭ上での通信のためにＡＰによって使用されるアドレスと、ＤＳＭ上での通信のためにＡＰによって使用されるアドレスは必ずしも同一である必要はない。
【００４０】
ＡＰと関連した各ＳＴＡのうち一つからそのＡＰのＳＴＡアドレスに伝送されるデータは、常に非制御ポート（ｕｎｃｏｎｔｒｏｌｌｅｄ  ｐｏｒｔ）で受信し、ＩＥＥＥ  ８０２．１Ｘポートアクセス個体によって処理することができる。また、制御ポート（ｃｏｎｔｒｏｌｌｅｄ  ｐｏｒｔ）が認証されると、フレームは概念的にＤＳに伝達することができる。
【００４１】
以下では、広いカバレッジのネットワークのための拡張サービスセット（ＥＳＳ）について説明する。
【００４２】
図３は、ＥＳＳの概念を説明するためのＩＥＥＥ  ８０２．１１システムの更に他の例示的な構造を示す図である。
【００４３】
ＤＳ及びＢＳＳは、ＩＥＥＥ  ８０２．１１システムで任意の大きさ及び複雑度を有する無線ネットワークを生成させることができる。ＩＥＥＥ  ８０２．１１システムでは、このような方式のネットワークをＥＳＳネットワークと称する。ＥＳＳは、一つのＤＳに連結された各ＢＳＳの集合に該当し得る。しかし、ＥＳＳはＤＳを含まない。ＥＳＳネットワークは、ＬＬＣ（Ｌｏｇｉｃａｌ  Ｌｉｎｋ  Ｃｏｎｔｒｏｌ）階層でＩＢＳＳネットワークに見える点を特徴とする。ＥＳＳに含まれる各ＳＴＡは互いに通信することができ、各移動ＳＴＡは、ＬＬＣにトランスペアレントに一つのＢＳＳから他のＢＳＳに（同一のＥＳＳ内で）移動することができる。
【００４４】
ＩＥＥＥ  ８０２．１１では、図３での各ＢＳＳの相対的な物理的位置に対して何ら仮定もなく、次のような形態が全て可能である。
【００４５】
各ＢＳＳは部分的に重畳することができる。これは、連続的なカバレッジを提供するために一般的に用いられる形態である。
【００４６】
ＢＳＳは物理的に連結されていない場合もある。論理的には、各ＢＳＳ間の距離に制限はない。
【００４７】
各ＢＳＳは物理的に同一の位置に位置することができる。これは、リダンダンシーを提供するために用いることができる。
【００４８】
一つ（又は一つ以上の）ＩＢＳＳ又はＥＳＳネットワークが一つ（又は一つ以上の）ＥＳＳネットワークとして同一の空間に物理的に存在することができる。これは、様々な理由によって発生し得る。いくつかの例示は、ＥＳＳネットワークが存在する位置にアド−  ホックネットワークが動作する場合や、異なる機関（ｏｒｇａｎｉｚａｔｉｏｎｓ）によって物理的に重畳されるＩＥＥＥ  ８０２．１１ネットワークが構成される場合や、同一の位置で２以上の異なるアクセス及び保安政策が必要な場合である。
【００４９】
図４は、ＷＬＡＮシステムに対する理解を促進するための例示的なシステム構造を示す。
【００５０】
図４では、ＤＳを含む基盤構造ＢＳＳの一例を示す。そして、ＢＳＳ１及びＢＳＳ２がＥＳＳを構成する。ＷＬＡＮシステムにおいて、ＳＴＡは、ＩＥＥＥ  ８０２．１１のＭＡＣ／ＰＨＹ規定によって動作する機器であって、ＡＰ  ＳＴＡ及び非−  ＡＰ（ｎｏｎ−  ＡＰ）ＳＴＡ（ラップトップコンピューター、移動電話機など）を含む。一般に、ｎｏｎ−  ＡＰ  ＳＴＡは、ユーザーが直接取り扱う機器に該当する。以下の説明において、ｎｏｎ−  ＡＰ  ＳＴＡは、端末、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザー装置（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動端末（Ｍｏｂｉｌｅ  Ｔｅｒｍｉｎａｌ）、移動加入者ユニット（Ｍｏｂｉｌｅ  Ｓｕｂｓｃｒｉｂｅｒ  Ｕｎｉｔ）などと称することもできる。また、ＡＰは、他の無線通信分野での基地局（Ｂａｓｅ  Ｓｔａｔｉｏｎ；ＢＳ）、ノード−  Ｂ（Ｎｏｄｅ−  Ｂ）、基底送受信システム（Ｂａｓｅ  Ｔｒａｎｓｃｅｉｖｅｒ  Ｓｙｓｔｅｍ；ＢＴＳ）、又はフェムト基地局（Ｆｅｍｔｏ  ＢＳ）などに対応する概念である。
【００５１】
上述した概念に基づいて、ステーションがＷＳ内の可用チャンネルからチャンネルを選択するメカニズムについて説明する。ステーションは、可用チャンネルのリストを要請する場合、自分の地理的位置（ｇｅｏｇｒａｐｈｉｃ  ｌｏｃａｔｉｏｎ）をＲＬＳ（Ｒｅｇｉｓｔｅｒｅｄ  Ｌｏｃａｔｉｏｎ  Ｓｅｒｖｅｒ）又はデータベースに提供し、前記位置情報に基づいた可用チャンネル情報を受信することによって、ＷＳ内で動作するチャンネルを選択することができる。このような過程は、チャンネルクエリープロセスと称することができる。いくつかの規制ドメイン（ｒｅｇｕｌａｔｏｒｙ  ｄｏｍａｉｎ）では、チャンネルクエリープロセスをイネーブリングメカニズムと共に具現することができる。説明の便宜上、まず、ＷＳで免許不要の機器を動作させるイネーブリングメカニズムについて説明する。
【００５２】
免許不要の機器がＷＳで動作するためには、前記免許不要の機器は、自分が動作し得るＷＳで既存ユーザーによって使用されない可用チャンネルに対する情報を獲得しなければならない。このための最も単純な方案は、全ての免許不要の機器がＷＳのチャンネルのそれぞれに対して既存ユーザーのプライマリ信号の存在有無をセンシングするように定義することである。しかし、この方案は、オーバーヘッドが大きいため、特定の地理的位置でＷＬＡＮ動作のために使用可能なチャンネルに対する情報を含むＴＶ帯域データベースなどの規制データベースを使用する他の方案を考慮することができる。本発明では、後者の方案を使用することが望ましい。
【００５３】
また、全ての免許不要の機器が可用チャンネルに対する情報を獲得するために規制データベースにアクセスすることは非効率的であって、シグナリングオーバーヘッドが大きく発生し得る。したがって、各免許不要の機器（各ＳＴＡ）は、イネーブリングＳＴＡと従属（ｄｅｐｅｎｄｅｎｔ）ＳＴＡに分類される。ＷＳでのイネーブリングＳＴＡは、自分の地理的位置識別能力及びＴＶ帯域データベースに対するアクセス能力を使用して自分の位置で可用なＴＶチャンネルを決定できるＳＴＡと定義される。ＷＳでの従属ＳＴＡは、イネーブリングＳＴＡから、又は自分の動作をイネーブルする前記イネーブリングＳＴＡの従属ＡＰから可用ＴＶチャンネルリストを受信するＳＴＡと定義される。したがって、イネーブリングＳＴＡは、可用チャンネル内で従属ＳＴＡがＷＳで動作するように許容する役割（従属ＳＴＡをイネーブルする役割）をする。このようなイネーブリング過程は、動的ステーションイネーブルメント（ＤＳＥ）過程と称することができる。
【００５４】
図５は、イネーブリングメカニズムを説明するための概念図である。
【００５５】
図５において、ＷＳデータベース、イネーブリングＳＴＡ及び従属ＳＴＡが存在する。イネーブリングＳＴＡはＡＰ  ＳＴＡ又は非−  ＡＰ  ＳＴＡであり得る。
【００５６】
本実施例によると、イネーブリングＳＴＡは、登録及びチャンネル情報のクエリーのためにＷＳデータベースにアクセスする（Ｓ５１０）。イネーブリングＳＴＡがそれぞれのチャンネルをセンシングして使用可否を決定するよりは、ＷＳデータベースから可用チャンネルリストを獲得する方がより効率的である。したがって、図５のイネーブリングＳＴＡは、チャンネル情報応答（Ｃｈａｎｎｅｌ  Ｉｎｆｏ  Ｒｅｓｐｏｎｓｅ）を通してＷＳデータベースから可用チャンネルリストを獲得する（Ｓ５２０）。
【００５７】
そして、本例示において、イネーブリングＡＰ  ＳＴＡは、イネーブリング信号を伝送し、従属ＳＴＡがＷＳ内で動作することを許容する。イネーブリング信号は、ビーコンフレーム又はプローブ応答フレームであり得る。また、本例示によると、従属ＳＴＡは、イネーブリングＳＴＡとＤＳＥ関連メッセージを交換することができる。具体的に、従属ＳＴＡは、自分のイネーブルメントのためにＤＳＥイネーブルメント要請メッセージをイネーブリングＳＴＡに伝送することができる（Ｓ５４０）。そして、イネーブリングＳＴＡは、前記要請に対してＤＳＥイネーブルメント応答メッセージで応答することができる（Ｓ５５０）。
【００５８】
従属ＳＴＡは、イネーブリング信号を受信及びデコーディングし、イネーブリングＳＴＡにイネーブルメント要請フレームを伝送することができる。そして、イネーブリングＳＴＡは、イネーブルメント応答フレームを従属ＳＴＡに伝送することができる。従属ＳＴＡがこれを受信すると、ＤＳＥ過程は完了する。
【００５９】
図６は、ＤＳＥイネーブルメントフレームフォーマットの例示を示す。
【００６０】
図６のＤＳＥイネーブルメントフレームフォーマットがＤＳＥイネーブルメント要請のためのＤＳＥイネーブルメントフレームである場合、要請者ＳＴＡ住所（ＲｅｑｕｅｓｔｅｒＳＴＡＡｄｄｒｅｓｓ）フィールドは、前記ＤＳＥイネーブルメントフレームを伝送するＳＴＡのＭＡＣ住所を指示し、応答者ＳＴＡ住所（ＲｅｓｐｏｎｄｅｒＳＴＡＡｄｄｒｅｓｓ）フィールドは、ＤＳＥイネーブルメントフレームを受信するＳＴＡのＭＡＣ住所を指示する。理由結果コード（Ｒｅａｓｏｎ  Ｒｅｓｕｌｔ  Ｃｏｄｅ）フィールドは、前記ＤＳＥイネーブルメントフレームがＤＳＥイネーブルメント要請であるか、それともＤＳＥイネーブルメント応答であるかを指示することができる。イネーブルメント識別子（Ｅｎａｂｌｅｍｅｎｔ  ｉｄｅｎｔｉｆｉｅｒ）フィールドは、ＤＳＥイネーブルメントフレームがＤＳＥイネーブルメント応答のためのものである場合にイネーブリングＳＴＡによって従属ＳＴＡに割り当てられるイネーブルメントＩＤを指示することができる。
【００６１】
したがって、従属ＳＴＡによって伝送されるＤＳＥイネーブルメント要請のためのＤＳＥイネーブルメントフレームのＲｅｑｕｅｓｔｅｒＳＴＡＡｄｄｒｅｓｓフィールドは従属ＳＴＡのＭＡＣ住所を指示し、ＲｅｓｐｏｎｄｅｒＳＴＡＡｄｄｒｅｓｓフィールドは、イネーブリングＳＴＡのＭＡＣ住所を指示し、理由結果コードフィールドは、該当のＤＳＥイネーブルメントフレームがＤＳＥイネーブルメント要請のためのものであることを指示する。そして、イネーブルメント識別子フィールドは、有効でない値と設定される。
【００６２】
図６のＤＳＥイネーブルメントフレームフォーマットがＤＳＥイネーブルメント応答のためのものである場合、ＤＳＥイネーブルメント応答のためのＤＳＥイネーブルメントフレームのＲｅｑｕｅｓｔｅｒＳＴＡＡｄｄｒｅｓｓフィールドはイネーブリングＳＴＡのＭＡＣ住所を指示し、ＲｅｓｐｏｎｄｅｒＳＴＡＡｄｄｒｅｓｓフィールドは従属ＳＴＡのＭＡＣ住所を指示し、理由結果コードフィールドは、ＤＳＥイネーブルメントフレームがＤＳＥイネーブルメント応答のためのものであることを指示する。そして、イネーブルメント識別子フィールドは、イネーブリングＳＴＡによって従属ＳＴＡに割り当てられたイネーブルメントＩＤを含むことができる。
【００６３】
次に、本発明の他の例示に係る動的ステーションイネーブルメント過程について説明する。本発明の本実施例は、ＧＡＳ（ｇｅｎｅｒｉｃ  ａｄｖｅｒｔｉｓｅｍｅｎｔ  ｓｅｒｖｉｃｅ）プロトコルを用いてＤＳＥイネーブルメントを行う方案を提案する。
【００６４】
ＧＡＳプロトコルをサポートするＳＴＡは、ビーコンフレーム及びプローブ応答フレームに相互動作（Ｉｎｔｅｒｗｏｒｋｉｎｇ）要素を含む。
【００６５】
ＳＴＡによってサポートされる広告プロトコルのＩＤは、広告プロトコル要素（Ａｄｖｅｒｔｉｓｅｍｅｎｔ  Ｐｒｏｔｏｃｏｌ  ｅｌｅｍｅｎｔ）を通して伝送される。図７は、広告プロトコル要素フォーマットを示す。広告プロトコル要素は、ビーコンフレーム又はプローブ応答フレームを通して伝送される。
【００６６】
図７に示すように、広告プロトコル要素は、複数の広告プロトコルタプル（ｔｕｐｌｅ）フィールドを含む。図８は、広告プロトコルタプルのフォーマットを示す。
【００６７】
図８に示すように、広告プロトコルタプルフィールドは、クエリー応答長さ制限（Ｑｕｅｒｙ  Ｒｅｓｐｏｎｓｅ  Ｌｅｎｇｔｈ  Ｌｉｍｉｔ）フィールド、連関−  前メッセージ交換ＢＳＳＩＤ独立（Ｐｒｅ−  Ａｓｓｏｃｉａｔｉｏｎ  Ｍｅｓｓａｇｅ  Ｅｘｃｈａｎｇｅ  ＢＳＳＩＤ  Ｉｎｄｅｐｅｎｄｅｎｔ；ＰＡＭＥ−  ＢＩ）フィールド、及び広告プロトコルＩＤ（Ａｄｖｅｒｔｉｓｅｍｅｎｔ  Ｐｒｏｔｏｃｏｌ  ＩＤ）フィールドを含む。
【００６８】
クエリー応答長さ制限フィールドは、一つ以上のＧＡＳカムバック応答フレーム（ＧＡＳ  Ｃｏｍｅｂａｃｋ  Ｒｅｓｐｏｎｓｅ  ｆｒａｍｅｓ）内に含まれるクエリー応答フィールドでＳＴＡによって伝送される最大オクテットの個数を指示する。
【００６９】
ＰＡＭＥ−  ＢＩフィールドは、広告プロトコルの非−  ＡＰ  ＳＴＡのピア（ｐｅｅｒ）である広告サーバー（Ａｄｖｅｒｔｉｓｅｍｅｎｔ  Ｓｅｒｖｅｒ）が、ＧＡＳフレーム交換のために使用されるＢＳＳＩＤに独立的なクエリー応答をリターンするかどうかを指示するためにＡＰによって使用される。
【００７０】
広告プロトコルＩＤフィールドは、ＳＴＡによってサポートされる広告プロトコルを指示する。
【００７１】
広告プロトコルＩＤの例示的な値は、表１のように定義される。
【００７２】
【表１】
0005624675.tif 000002
広告プロトコルＩＤは、ＳＴＡがＡＮＱＰ（Ａｃｃｅｓｓ  Ｎｅｔｗｏｒｋ  Ｑｕｅｒｙ  Ｐｒｏｔｏｃｏｌ）をサポートすることを指示するために０と設定され、ＳＴＡがＲＬＱＰ（Ｒｅｇｉｓｔｅｒｅｄ  Ｌｏｃａｔｉｏｎ  Ｑｕｅｒｙ  Ｐｒｏｔｏｃｏｌ）をサポートすることを指示するために５と設定される。ＲＬＱＰは、ＧＡＳパブリックアクション（Ｐｕｂｌｉｃ  Ａｃｔｉｏｎ）フレームによってＲＬＳ（Ｒｅｇｉｓｔｅｒｅｄ  Ｌｏｃａｔｉｏｎ  Ｓｅｒｖｅｒ）から登録された位置情報を検索（ｒｅｔｒｉｅｖｅ）するためのクエリープロトコルである。
【００７３】
本発明の本例示において、ＤＳＥ過程はＡＮＱＰ又はＲＬＱＰを通して行われる。
【００７４】
本発明の例示によると、イネーブリング信号は、広告プロトコルＩＤ値が表１で特定されたＡＮＱＰ又はＲＬＱＰの値に設定された広告プロトコルタプルを有する広告プロトコル要素を含むＧＡＳ初期応答フレーム（ｉｎｉｔｉａｌ  ｒｅｓｐｏｎｓｅ  ｆｒａｍｅ）、プローブ応答フレーム又はビーコンフレームであって、イネーブルメントが可能であることを指示する。
【００７５】
以下では、図９を参照してイネーブリング信号がＧＡＳ初期応答フレームである場合について説明する。
【００７６】
本発明の本例示によると、従属ＳＴＡは、ＡＮＱＰ又はＲＬＱＰを通してイネーブリングＳＴＡ又はＡＰからイネーブリング信号を獲得することができる。
【００７７】
第１のＳＴＡは、ＡＮＱＰ（又はＲＬＱＰ）要請を第２のＳＴＡから受信し、外部ネットワークのサーバーにクエリーをプロキシ（ｐｒｏｘｙ）したり又はプロキシせず、前記クエリーに対して応答することができる。例えば、第１のＳＴＡがイネーブリング信号に対するＡＮＱＰ（又はＲＬＱＰ）要請を第２のＳＴＡから受信する場合、外部ネットワークのサーバーに前記クエリーをプロキシすることによって、又はイネーブリングＳＴＡ又はＡＰのローカル情報を使用して、前記第１のＳＴＡは、イネーブリング情報を含むＡＮＱＰ（又はＲＬＱＰ）応答を従属ＳＴＡに伝送することができる。
【００７８】
従属ＳＴＡは、ＤＳＥ登録位置情報を要請するためにＧＡＳ初期要請フレームをイネーブリングＳＴＡ又はＡＰに伝送することができる。
【００７９】
表２は、ＧＡＳ初期要請フレームフォーマットを示す。
【００８０】
【表２】
0005624675.tif 000003
表２に示すように、ＧＡＳ初期要請フレームは、広告プロトコル要素及びクエリー要請フィールドを含む。
【００８１】
ＧＡＳ初期要請フレームの広告プロトコル要素は、広告プロトコルＩＤ値が表１で特定されたＡＮＱＰ又はＲＬＱＰの値に設定された広告プロトコルタプルを含む。
【００８２】
クエリー要請フィールドは、ＤＳＥ登録位置情報に対して割り当てられた情報（ｉｎｆｏ）ＩＤを含む。情報ＩＤは、クエリーと関連した情報を指示する。例えば、従属ＳＴＡがＡＮＱＰを通してＧＡＳ初期要請フレームを伝送する場合、前記ＧＡＳ初期要請フレームの広告プロトコル要素は、広告プロトコルＩＤ値がＡＮＱＰの値に設定された広告プロトコルタプルを含み、クエリー要請フィールドは、ＤＳＥ登録位置情報に対して割り当てられたＡＮＱＰ情報ＩＤを含む。
【００８３】
ＧＡＳ初期要請フレームを受信したイネーブリングＳＴＡ又はＡＰは、従属ＳＴＡにＧＡＳ初期応答フレームを伝送する。
【００８４】
表３は、ＧＡＳ初期応答フレームフォーマットを示す。
【００８５】
【表３】
0005624675.tif 000004
表３に示すように、ＧＡＳ初期応答フレームは、広告プロトコル要素及びクエリー応答フィールドを含む。ＧＡＳ初期応答フレームのクエリー応答フィールドはクエリープロトコル要素を含む。
【００８６】
図９は、クエリープロトコル要素フォーマットを示す。すなわち、ＡＮＱＰ要素フォーマット及びＲＬＱＰ要素フォーマットは、図９に示す通りである。図９に示すように、クエリープロトコル要素は、情報ＩＤフィールド、長さ（ｌｅｎｇｔｈ）フィールド、及び情報フィールドを含む。
【００８７】
それぞれのクエリープロトコル要素には、予め定義された固有の（ｕｎｉｑｕｅ）情報ＩＤが割り当てられる。情報ＩＤは、クエリーと関連した情報を指示する。すなわち、情報ＩＤは、クエリープロトコル要素が何と関連しているかを指示する。
【００８８】
従属ＳＴＡは、イネーブリング信号を受信した後、ＧＡＳプロトコルを使用してイネーブリングＳＴＡとＤＳＥ関連メッセージを交換する。すなわち、従属ＳＴＡは、イネーブリングステーションにＤＳＥイネーブルメント要請のためにＤＳＥイネーブルメントに対する値に設定された第１の情報ＩＤを含む第１のクエリープロトコル要素を伝送し、イネーブリングステーションからＤＳＥイネーブルメント応答のためにＤＳＥイネーブルメントに対する値に設定された第２の情報ＩＤを含む第２のクエリープロトコル要素を受信する。
【００８９】
図１０は、ＤＳＥイネーブルメントに対するクエリープロトコルのフォーマットを示す。
【００９０】
図１０に示すように、ＤＳＥイネーブルメントに対するクエリープロトコル要素は、情報ＩＤフィールド、長さフィールド、ＲｅｑｕｅｓｔｅｒＳＴＡＡｄｄｒｅｓｓフィールド、ＲｅｓｐｏｎｄｅｒＳＴＡＡｄｄｒｅｓｓフィールド、理由結果コードフィールド、イネーブルメント識別子フィールド、及びホワイトスペースマップ（ＷＳＭ）要素ボディー（ｂｏｄｙ）を含む。
【００９１】
情報ＩＤフィールドは、予め定義されたＤＳＥイネーブルメントに対する値に設定される。
【００９２】
長さフィールドは、残りの要素フィールドの長さをオクテット単位で指示し、その値は可変する。
【００９３】
ＲｅｑｕｅｓｔｅｒＳＴＡＡｄｄｒｅｓｓフィールド、ＲｅｓｐｏｎｄｅｒＳＴＡＡｄｄｒｅｓｓフィールド、理由結果コードフィールド、イネーブルメント識別子フィールドは、図６を参照して説明したＤＳＥイネーブルメントフレームの該当のフィールドと同一である。
【００９４】
図１１は、ＷＳＭ要素ボディーを示す。
【００９５】
望ましくは、ＷＳＭ要素ボディーは、規制データベースからの可用チャンネル及び周波数情報を含む。また、上述したように、免許不要の機器がＷＳで使用可能な特定チャンネル上で動作し、前記特定チャンネルに隣接した近隣チャンネルが既存ユーザーによって使用される場合、前記免許不要の機器は、前記既存ユーザーを保護するために自分の伝送電力を低下させなければならない。したがって、ＷＳＭ要素は、規制データベースからの可用チャンネルリスト及び各可用チャンネルに対する最大許容伝送電力を含む。実際の最大伝送電力レベルは、チャンネル帯域幅及び可用チャンネルごとの最大許容伝送電力によって決定することができる。動作チャンネル（ＷＬＡＮチャンネル）帯域幅がＷＳＭで指示された複数のチャンネルを含みながら、それら複数のチャンネルの最大電力レベルが異なる場合、動作伝送電力レベルは、前記複数のチャンネルのうちＷＳＭによって指示される最小伝送電力レベルに制限される。ＴＶＷＳ（ＴＶホワイトスペース）で、可用チャンネルリストはＴＶチャンネル番号を含むことができる。しかし、他の例示では、可用チャンネルリストは、可用チャンネルが位置した周波数情報を含むこともできる。
【００９６】
図１１に示すように、ＷＳＭ要素ボディーは、ＷＳＭタイプ（Ｔｙｐｅ）フィールド及びＷＳＭ情報フィールドを含むことができる。
【００９７】
ＷＳＭタイプフィールドは、ＷＳＭ情報のタイプを指示することができる。具体的に、ＷＳＭタイプは、ＷＳＭ情報がＴＶ帯域ＷＳＭであるか、それとも他のタイプのＷＳＭであるかを指示することができる。ＷＳＭタイプフィールドが、該当のＷＳＭ要素がＴＶ帯域ＷＳＭ要素であることを指示する場合、前記ＷＳＭ要素は、ＴＶ帯域データベースからイネーブリングＳＴＡによって獲得された可用チャンネルリスト及びそれぞれの可用チャンネルに対して許容される最大伝送電力を含む。
【００９８】
図１２は、ＴＶ帯域ＷＳＭの例示的な構造を示す。図１２に示すように、ＴＶ帯域ＷＳＭは、マップＩＤフィールド、チャンネル番号（Ｃｈａｎｎｅｌ  Ｎｕｍｂｅｒ）フィールド、最大電力レベル（Ｍａｘｉｍｕｍ  Ｐｏｗｅｒ  Ｌｅｖｅｌ）フィールドを含む。
【００９９】
マップＩＤフィールドは、ＴＶ帯域ＷＳＭに対するＴＶ帯域ＷＳＭ情報フィールドフォーマットの識別子であって、マップＩＤビットのフォーマットは図１３に示す通りである。
【０１００】
図１３を参照すると、タイプビットは、１ビットの長さであって、後続するチャンネルリストが全体（ｆｕｌｌ）チャンネルリストであるか、それとも部分（ｐａｒｔｉａｌ）チャンネルリストであるかを指示する。タイプビットが１に設定されると、後続するチャンネルリストは全体チャンネルリストであって、タイプビットが０に設定されると、後続するチャンネルリストは部分チャンネルリストである。
【０１０１】
図１３のマップバージョン（Ｍａｐ  Ｖｅｒｓｉｏｎ）は、６ビットの長さであって、ＷＳＭのバージョンを識別する。ＴＶ帯域データベースからの可用チャンネル情報が更新され、対応するＷＳＭが更新される場合、マップバージョンは１ずつ循環増加（ｃｉｒｃｕｌａｒｌｙ  ｉｎｃｒｅｍｅｎｔｅｄ）し、マップバージョンのデフォルトビット値は０００００００である。ＳＴＡが同一のマップバージョンを有する複数のＷＳＭを受信し、タイプビットが０（部分ＷＳＭ）に設定される場合、ＳＴＡは、同一のマップバージョンを有する複数のＷＳＭを用いて全体チャンネルリストを構成する。
【０１０２】
図１２を再び参照すると、チャンネル番号フィールドは、ＷＬＡＮ動作のために使用可能なＴＶチャンネルがどこにあるかを指示する正の整数値であり得る。チャンネル番号フィールドの長さは１オクテットに設定することができる。チャンネル番号及び最大電力レベルのペア（ｐａｉｒ）が繰り返される場合（図２０に示すように）、ＴＶチャンネル番号が増加する順にリストされる。
【０１０３】
ＷＳで動作するために、ステーションは、自分の伝送を開始するために各可用チャンネルからチャンネルを選択しなければならない。このために、ステーションは、チャンネルを選択する前にチャンネルクエリープロセス（登録過程）を行う。
【０１０４】
図１４は、本発明の一実施例に係るチャンネルクエリー過程を説明するための概念図を示す。
【０１０５】
ＴＶ帯域データベース１２１０は、ＴＶ帯域の可用チャンネル情報を含む。ＲＬＳ１２２０は、ＷＳで動作する全てのＡＰ１２３０に対する登録された地理的位置情報を含むサーバーであり得る。図１７では、ＲＬＳ１２２０がＴＶ帯域データベース１２１０と別途の装置であることを示すが、ＲＬＳ１２２０は、ＴＶ帯域データベース又はＡＰ１２３０の一部として併合することができる。
【０１０６】
免許不要の機器がＡＰ  ＳＴＡ１２３０として動作しようとする場合、可用チャンネルリストをクエリーするときに自分の地理的位置をＲＬＳ１２２０又はＴＶ帯域データベースに提供しなければならない。一方、本発明の一実施例によると、ＳＴＡ１２４０’がビーコン信号を伝送し、ネットワークを形成するＡＰ  ＳＴＡとして動作しようとする場合、ＳＴＡ１２４０’は、チャンネルクエリー要請をＲＬＳ１２２０又はＴＶ帯域データベース１２１０に伝送するときに自分の地理的位置を提供することによって自分の位置での可用チャンネル情報を有さなければならない。本実施例において、ＳＴＡ１２４０’は、チャンネルクエリー要請をＲＬＱＰ（又はＡＮＱＰ）を使用して伝送することができる。また、図１７に示すように、ＳＴＡ１２４０’は、ＲＬＱＰ（又はＡＮＱＰ）で定義されるチャンネルクエリー要請を、ＲＬＳ１２２０に直接（経路‘Ａ’）又はＳＴＡ（１２４０’）と関連したＡＰ  ＳＴＡ１２３０を通して伝送することができる。
【０１０７】
以下では、本発明の一実施例に係るＲＬＱＰを使用するチャンネルクエリー要請／応答メカニズム及び適切なフォーマットについて説明する。
【０１０８】
ＡＰ  ＳＴＡとして動作しようとするＳＴＡは、チャンネルクエリー要請を伝送するとき、機器識別情報及び望ましくは＋／−５０ｍの解像度の地理的位置情報を提供しなければならない。前記機器識別情報は、ＦＣＣ識別子及び製造者によって割り当てられた一連番号を含むことができる。また、ＳＴＡは、チャンネルクエリー応答で自分の位置での各可用チャンネルに対する情報を受信しなければならない。
【０１０９】
したがって、本発明の一実施例では、ＲＬＱＰでＳＴＡの位置情報を提供するチャンネルクエリー要請フォーマット、前記チャンネルクエリー要請に応答するチャンネルクエリー応答フォーマットを提案する。表４は、本実施例に対する情報ＩＤ（Ｉｎｆｏｒｍａｔｉｏｎ  ＩＤ）を示す。
【０１１０】
【表４】
0005624675.tif 000005
表４に示すように、情報ＩＤ２及び３はチャンネルクエリー要請及びチャンネルクエリー応答をそれぞれ指示する。
【０１１１】
図１５及び図１６は、ＲＬＱＰで定義されるチャンネルクエリー要請要素及びチャンネルクエリー応答要素の例示的なフォーマットを示す。
【０１１２】
まず、チャンネルクエリー要請要素（図１５）の情報ＩＤ（Ｉｎｆｏｒｍａｔｉｏｎ  ＩＤ）フィールドは、該当の要素がチャンネルクエリー要請要素であることを指示する（例えば、表４の値２）。長さフィールドは、該当の要素の長さを指示する。
【０１１３】
要請者ＳＴＡ住所フィールド及び応答者ＳＴＡ住所フィールドは、登録を要請するＳＴＡ及び該当の要素が伝達されるＳＴＡのＭＡＣ住所を示す。上述したように、応答者ＳＴＡ住所フィールドは、ＲＬＳ又は前記ＳＴＡと関連したＡＰ  ＳＴＡのＭＡＣ住所を指示することができる。
【０１１４】
イネーブルメント識別子（Ｅｎａｂｌｅｍｅｎｔ  Ｉｄｅｎｔｉｆｉｅｒ）フィールドは、イネーブラー／イネーブリングＳＴＡによって前記ＳＴＡに割り当てられたＩＤを指示する。
【０１１５】
ＦＣＣ識別子（ＦＣＣ  ｉｄｅｎｔｉｆｉｅｒ）フィールドの次に、一連番号（Ｓｅｒｉａｌ  ｎｕｍｂｅｒ）フィールド、及びＬＣＩ（Ｌｏｃａｔｉｏｎ  Ｃｏｎｆｉｇｕｒａｔｉｏｎ  Ｉｎｆｏｒｍａｔｉｏｎ）フィールドは、ＲＬＳ又はデータベースに提供される情報に対するものである。ＦＣＣ識別子フィールドは、ＦＣＣによって割り当てられたＦＣＣ識別子を指示する。一連番号フィールドは、製造者によって割り当てられた一連番号を指示する。そして、ＬＣＩフィールドは、ＳＴＡの地理的位置を、高度、高さ、及び選択的に方位角（又はこれに相当する各情報）を通して指示する。前記地理的位置情報は、図６に示すＤＳＥ登録位置要素ボディーフィールドのＬＣＩフィールドのＢ０〜Ｂ１２２の１２３ビットに表現することができる。
【０１１６】
ＲＬＳ又はＡＰ  ＳＴＡがＳＴＡからチャンネルクエリー要請を受信する場合、ＲＬＳ又はＡＰ  ＳＴＡは、図１６に示すようなチャンネルクエリー応答を伝送する。情報ＩＤフィールドは、該当の要素がチャンネルクエリー応答要素であることを指示する（例えば、表４の値３）。登録応答要素の長さフィールド、要請者ＳＴＡ住所フィールド、応答者ＳＴＡ住所フィールド及びイネーブルメント識別子フィールドは、登録要請要素の対応するフィールドと同一である。図１６に示すように、本実施例は、ＷＳＭをチャンネルクエリー応答要素に含ませ、これを受信するＳＴＡが可用チャンネル内で自ら動作したり、又は他のＳＴＡが動作するように管理できるようにすることを提案する。
【０１１７】
イネーブラー／ＲＬＳと有線連結を有さない各移動ＡＰが、上述したチャンネルクエリー過程を行う主体である。したがって、本発明の一実施例では、ＳＴＡの位置が変更されると、前記ＳＴＡが自分の位置情報をＲＬＳ内で更新し、変更された位置での可用チャンネルに対する情報を獲得することを提案する。このような更新過程で、チャンネルクエリー要請／応答要素でＦＣＣ  ＩＤフィールド及び一連番号フィールドは省略することができる。
【０１１８】
上述した各例示は、チャンネルクエリー過程がＤＳＥ過程以後に行われるという仮定に基づく。しかし、本発明の他の例示では、ＤＳＥ過程以前にチャンネルクエリー過程を行うことを提案する。
【０１１９】
上述したＲＬＱＰ（又はＡＮＱＰ）を使用して、非−  ＡＰ  ＳＴＡは、チャンネルクエリー要請で自分の識別情報及び地理的位置情報を伝送することによって自分の位置での可用チャンネルリストを獲得した後、ＡＰ  ＳＴＡとして動作することができる。チャンネルクエリー過程は、ＤＳＥ過程以前に／以後に行うことができる。
【０１２０】
以下では、このような非−  ＡＰＳＴＡ及びＡＰ  ＳＴＡに対する各装置を簡略に説明する。
【０１２１】
図１７は、本発明の例示的な各実施形態を具現する各無線装置の構造的なブロック図である。
【０１２２】
ＡＰ７００は、プロセッサ７１０、メモリ７２０、送受信機７３０を含むことができ、ＳＴＡ７５０は、プロセッサ７６０、メモリ７７０、及び送受信機７８０を含むことができる。送受信機７３０及び７８０は、無線信号を送信／受信し、ＩＥＥＥ  ８０２物理階層を具現し、各送信機及び各受信機に分離することができる。プロセッサ７１０及び７６０は、送受信機７３０及び７６０に連結され、ＩＥＥＥ  ８０２物理階層及び／又はＭＡＣ階層を具現する。プロセッサ７１０及び７６０は、上述したチャンネルスキャニング方法を具現することができる。
【０１２３】
プロセッサ７１０及び７６０及び／又は送受信機７３０及び７８０は、アプリケーション−  特定集積回路（ＡＳＩＣ）、異なるチップセット、論理回路、及び／又はデータ処理ユニットを含むことができる。メモリ７２０及び７７０は、ＲＯＭ（Ｒｅａｄ−  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、メモリカード、格納媒体及び／又は他の格納ユニットを含むことができる。例示的な各実施例がソフトウェアによって具現される場合、上述した各技法は、上述した各機能を行うモジュール（プロセッサ、関数など）として具現することができる。モジュールは、メモリ７２０及び７７０に格納することができ、プロセッサ７１０及び７６０によって実行することができる。メモリ７２０及び７７０は、プロセッサ７１０及び７６０の内部又は外部に配置することができ、プロセッサ７１０及び７６０と公知の手段を通して連結することができる。
【０１２４】
以下では、このようなＡＰ／ＳＴＡのための装置の各要素のうちプロセッサ７１０及び７６０の構造についてより詳細に説明する。
【０１２５】
図１８は、本発明の一実施例に係るＳＴＡ装置のプロセッサの例示的な構造を示す。
【０１２６】
ＳＴＡのプロセッサ７１０又は７６０は複数の階層構造を有することができ、図１８は、これら階層のうち、特にＤＬＬ（Ｄａｔａ  Ｌｉｎｋ  Ｌａｙｅｒ）上のＭＡＣサブ階層１４１０及び物理階層１４２０を集中的に示す。図１８に示すように、ＰＨＹ１４２０は、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）個体１４２１、及びＰＭＤ（Ｐｈｙｓｉｃａｌ  Ｍｅｄｉｕｍ  Ｄｅｐｅｎｄｅｎｔ）個体１４２２を含むことができる。ＭＡＣサブ階層１４１０及びＰＨＹ１４２０は、両方とも概念的にＭＬＭＥ（ＭＡＣ  ｓｕｂｌａｙｅｒ  Ｍａｎａｇｅｍｅｎｔ  Ｅｎｔｉｔｙ）１４１１と称される各管理個体をそれぞれ含む。これら各個体１４１１、１４１２１は、階層管理機能が作動する階層管理サービスインターフェースを提供する。
【０１２７】
正確なＭＡＣ動作を提供するために、ＳＭＥ（Ｓｔａｔｉｏｎ  Ｍａｎａｇｅｍｅｎｔ  Ｅｎｔｉｔｙ）１４３０がそれぞれのＳＴＡ内に存在する。ＳＭＥ１４３０は、別途の管理プレーン内に存在したり、又は別途に離れているように見られる階層独立的な個体である。ＳＭＥ１４３０の正確な各機能は本文書で具体的に説明しないが、一般に、このような個体１４３０は、多様な階層管理個体ＬＭＥから階層−  従属的な状態を収集し、階層−  特定パラメーターの値を類似する形に設定するなどの機能を担当するものと見られる。一般に、ＳＭＥ１４３０は、一般システム管理個体を代表してこれら各機能を行い、標準管理プロトコルを具現することができる。
【０１２８】
図１８に示す各個体は多様な方式で相互作用をする。図１８では、ＧＥＴ／ＳＥＴプリミティブ（ｐｒｉｍｉｔｉｖｅ）を交換するいくつかの例示を示す。ＸＸ−  ＧＥＴ．ｒｅｑｕｅｓｔプリミティブは、与えられたＭＩＢ属性（ａｔｔｒｉｂｕｔｅ）（管理情報基盤の属性情報）の値を要請するために使用される。ＸＸ−  ＧＥＴ．ｃｏｎｆｉｒｍプリミティブは、状態（Ｓｔａｔｕｓ）が「成功」である場合は適切なＭＩＢ属性情報値をリターンし、そうでない場合は、状態フィールドでエラー指示をリターンするために使用される。ＸＸ−  ＳＥＴ．ｒｅｑｕｅｓｔプリミティブは、指示されたＭＩＢ属性が与えられた値に設定されるように要請するために使用される。前記ＭＩＢ属性が特定の動作を意味する場合、これは、該当の動作が行われることを要請する。そして、ＸＸ−  ＳＥＴ．ｃｏｎｆｉｒｍプリミティブは、状態が「成功」である場合、指示されたＭＩＢ属性が要請された値に設定されたことを確認し、そうでない場合は、状態フィールドにエラー条件をリターンするために使用される。ＭＩＢ属性が特定の動作を意味する場合、これは、該当の動作が行われたことを確認する。
【０１２９】
図１８に示すように、ＭＬＭＥ１４１１及びＳＭＥ１４３０は、多様なＭＬＭＥ＿ＧＥＴ／ＳＥＴプリミティブをＭＬＭＥ＿ＳＡＰ１４５０を通して交換することができる。本発明の一実施例によると、ＧＡＳ初期要請フレームを受信すると、ＭＬＭＥ−  ＧＡＳ．ｉｎｄｉｃａｔｉｏｎプリミティブがＳＴＡのＳＭＥ１４３０に提供される。ＭＬＭＥ−  ＧＡＳ．ｒｅｓｐｏｎｓｅプリミティブを受信すると、ＳＴＡはＧＡＳ初期応答フレームを要請ＳＴＡに伝送する。
【０１３０】
また、図１８に示すように、多様なＰＬＣＭ＿ＧＥＴ／ＳＥＴプリミティブは、ＰＬＭＥ＿ＳＡＰ１４６０を通してＰＬＭＥ１４２１とＳＭＥ１４３０との間で交換することができ、ＭＬＭＥ−  ＰＬＭＥ＿ＳＡＰ１４７０を通してＭＬＭＥ１４１１とＰＬＭＥ１４７０との間で交換することができる。
【０１３１】
本発明の一実施例に係るＷＳＭ要素は、ＭＡＣ１４１０及びＰＨＹ１４２０の順次的な過程によって伝送することができる。また、本発明の一実施例に係るＷＳＭ要素は、ＰＨＹ１４２０及びＭＡＣ１４１０の順次的な過程によって受信することができる。
【０１３２】
以下では、本発明の各例示及び各実施形態について発明の各様態の観点で説明したが、該当の技術分野で熟練した当業者であれば、発明の各様態の各例示及び各実施形態が併合され得ることを理解することができる。また、明示的に言及されていない各効果は、当業者が詳細な説明から明らかに理解することができる。
【図１】
0005624675.tif 000006
【図２】
0005624675.tif 000007
【図３】
0005624675.tif 000008
【図４】
0005624675.tif 000009
【図５】
0005624675.tif 000010
【図６】
0005624675.tif 000011
【図７】
0005624675.tif 000012
【図８】
0005624675.tif 000013
【図９】
0005624675.tif 000014
【図１０】
0005624675.tif 000015
【図１１】
0005624675.tif 000016
【図１２】
0005624675.tif 000017
【図１３】
0005624675.tif 000018
【図１４】
0005624675.tif 000019
【図１５】
0005624675.tif 000020
【図１６】
0005624675.tif 000021
【図１７】
0005624675.tif 000022
【図１８】
0005624675.tif 000023